(57)【要約】【課題】簡素なシステム構成で、撮影を効率良く行う。【解決手段】医用画像撮影システム１００では、撮影オーダ情報を表示する携帯端末６０を複数備え、制御装置４０において情報管理装置３０から受信された撮影オーダ情報のうち、ポータブル指定された撮影オーダ情報が携帯端末６０に送信され、携帯端末６０において制御装置４０から送信された撮影オーダ情報が表示され、撮影オーダ情報とカセッテＩＤとの対応付けが行われる。撮影後、制御装置４０において読取装置２０から取得された医用画像と撮影オーダ情報との対応付けが行われ、医用画像及び医用画像に対応付けられた撮影オーダ情報のオーダＩＤが情報管理装置３０に送信される。【選択図】          図１
2004298210.tif 000002
【特許請求の範囲】
【請求項１】
患者の医用画像を撮影しカセッテに記録する移動可能な撮影装置と、撮影オーダ情報を管理する情報管理装置と、前記情報管理装置から通信ネットワークを介して撮影オーダ情報を取得する少なくとも一つの制御装置と、から構成された医用画像撮影システムであって、
前記制御装置は、
前記情報管理装置から取得された撮影オーダ情報を記憶する記憶手段と、
撮影オーダ情報の管理を行うオーダ管理手段と、
カセッテから医用画像を読み取る読取装置から医用画像及び医用画像の関連情報を取得し、当該取得された医用画像と撮影オーダ情報とを対応付けて画像登録を行う画像登録手段と、
前記オーダ管理手段によるオーダ管理の際には第１の表示モードで操作画面を表示し、前記画像登録手段による画像登録の際には第２の表示モードで操作画面を表示する表示手段と、
を備えることを特徴とする医用画像撮影システム。
【請求項２】
前記制御装置の表示手段は、前記第１の表示モードでは帳簿形式で操作画面を表示し、前記第２の表示モードではグラフィック形式で操作画面を表示することを特徴とする請求項１に記載の医用画像撮影システム。
【請求項３】
前記制御装置は、前記オーダ管理手段によるオーダ管理動作と前記画像登録手段による画像登録動作との切り換え指示を入力する入力手段を備えることを特徴とする請求項１又は２に記載の医用画像撮影システム。
【請求項４】
前記読取装置は、カセッテから医用画像とカセッテの識別情報を読み取り、当該読み取られた医用画像にカセッテの識別情報を対応付け、
前記制御装置において、
前記入力手段は、前記記憶された撮影オーダ情報に対応付けるカセッテの識別情報を入力し、
前記記憶手段は、前記入力されたカセッテの識別情報を撮影オーダ情報に対応付けて記憶し、
前記画像登録手段は、前記読取装置から医用画像と医用画像に対応付けられたカセッテの識別情報を取得し、当該医用画像に対応付けられたカセッテの識別情報と、撮影オーダ情報に対応付けられたカセッテの識別情報とに基づいて、取得された医用画像を撮影オーダ情報に対応付けることを特徴とする請求項３に記載の医用画像撮影システム。
【請求項５】
前記制御装置は、前記撮影オーダ情報に対応付けられた医用画像及び／又はその医用画像の関連情報を前記情報管理装置に送信することを特徴とする請求項４に記載の医用画像撮影システム。
【請求項６】
前記制御装置の少なくとも一つに接続可能な複数の携帯端末を備え、
前記制御装置において、
前記オーダ管理手段は、前記記憶された撮影オーダ情報のうち、指定された撮影オーダ情報を前記携帯端末に送信し、
前記携帯端末は、
前記制御装置から送信された撮影オーダ情報を記憶する記憶手段と、
前記記憶された撮影オーダ情報を表示する表示手段と、
を備えることを特徴とする請求項１〜３の何れか一項に記載の医用画像撮影システム。
【請求項７】
前記読取装置は、カセッテから医用画像とカセッテの識別情報を読み取り、当該読み取られた医用画像にカセッテの識別情報を対応付け、
前記携帯端末は、前記記憶された撮影オーダ情報と、撮影に用いられるカセッテの識別情報とを対応付けて前記記憶手段に記憶し、当該撮影オーダ情報に対応付けられたカセッテの識別情報を前記制御装置に送信し、
前記制御装置において、
前記画像登録手段は、前記読取装置から医用画像と医用画像に対応付けられたカセッテの識別情報を取得し、当該医用画像に対応付けられたカセッテの識別情報と、前記携帯端末から送信された撮影オーダ情報に対応付けられたカセッテの識別情報とに基づいて、取得された医用画像を撮影オーダ情報に対応付けることを特徴とする請求項６に記載の医用画像撮影システム。
【請求項８】
前記制御装置は、前記撮影オーダ情報に対応付けられた医用画像及び／又は医用画像の関連情報を前記情報管理装置に送信することを特徴とする請求項７に記載の医用画像撮影システム。
【請求項９】
前記制御装置において、
前記オーダ管理手段は、撮影オーダ情報の変更又は追加を行い、当該変更又は追加された撮影オーダ情報の更新情報を前記情報管理装置に送信することを特徴とする請求項１〜８の何れか一項に記載の医用画像撮影システム。
【請求項１０】
患者の医用画像を撮影しカセッテに記録する移動可能な撮影装置と、撮影オーダ情報を管理する情報管理装置と、前記情報管理装置から通信ネットワークを介して撮影オーダ情報を取得する少なくとも一つの制御装置と、から構成された医用画像撮影システムにおける撮影オーダ情報の管理方法であって、
前記制御装置において、
前記情報管理装置から取得された撮影オーダ情報を記憶手段に記憶する工程と、
撮影オーダ情報の管理を行うオーダ管理工程と、
カセッテから医用画像を読み取る読取装置から医用画像及び医用画像の関連情報を取得し、当該取得された医用画像を撮影オーダ情報と対応付けて画像登録する画像登録工程と、
オーダ管理の際には第１の表示モードで操作画面を表示し、画像登録の際には第２の表示モードで操作画面を表示手段に表示する表示工程と、
を含むことを特徴とする撮影オーダ情報の管理方法。
【請求項１１】
前記表示工程において、前記第１の表示モードでは帳簿形式で操作画面を表示し、前記第２の表示モードではグラフィック形式で操作画面を表示することを特徴とする請求項１０に記載の撮影オーダ情報の管理方法。
【請求項１２】
前記オーダ管理工程におけるオーダ管理動作と前記画像登録工程における画像登録動作との切り換え指示を入力する工程を含むことを特徴とする請求項１０又は１１に記載の撮影オーダ情報の管理方法。
【請求項１３】
前記読取装置が、カセッテから医用画像とカセッテの識別情報を読み取り、当該読み取られた医用画像にカセッテの識別情報を対応付ける工程と、
前記制御装置において、
前記記憶された撮影オーダ情報の撮影に用いるカセッテの識別情報を入力する工程と、
前記入力されたカセッテの識別情報を撮影オーダ情報に対応付ける工程と、
前記読取装置から医用画像と医用画像に対応付けられたカセッテの識別情報を取得する工程と、
前記取得された医用画像に対応付けられたカセッテの識別情報と、撮影オーダ情報に対応付けられたカセッテの識別情報とに基づいて、取得された医用画像を撮影オーダ情報に対応付ける工程と、
を含むことを特徴とする請求項１２に記載の撮影オーダ情報の管理方法。
【請求項１４】
前記制御装置が、前記撮影オーダ情報に対応付けられた医用画像及び／又はその医用画像の関連情報を前記情報管理装置に送信する工程を含むことを特徴とする請求項１３に記載の撮影オーダ情報の管理方法。
【請求項１５】
前記制御装置の少なくとも一つに接続可能な携帯端末に、制御装置の記憶手段に記憶された撮影オーダ情報のうち、指定された撮影オーダ情報を送信する工程と、
前記携帯端末において、
前記制御装置から送信された撮影オーダ情報を記憶手段に記憶する工程と、
前記記憶された撮影オーダ情報を表示する工程と、
を含むことを特徴とする請求項１０〜１２の何れか一項に記載の撮影オーダ情報の管理方法。
【請求項１６】
前記読取装置が、カセッテから医用画像とカセッテの識別情報とを読み取り、当該読み取られた医用画像にカセッテの識別情報を対応付ける工程と、
前記携帯端末が、前記記憶された撮影オーダ情報と、撮影に用いられるカセッテの識別情報とを対応付けて前記記憶手段に記憶し、当該撮影オーダ情報に対応付けられたカセッテの識別情報を前記制御装置に送信する工程と、
前記制御装置において、
前記読取装置から医用画像と医用画像に対応付けられたカセッテの識別情報を取得する工程と、
前記取得された医用画像に対応付けられたカセッテの識別情報と、前記携帯端末から送信された撮影オーダ情報に対応付けられたカセッテの識別情報とに基づいて、取得された医用画像を撮影オーダ情報に対応付ける工程と、
を含むことを特徴とする請求項１５に記載の撮影オーダ情報の管理方法。
【請求項１７】
前記撮影オーダ情報に対応付けられた医用画像及び／又はその医用画像の関連情報を前記制御装置から前記情報管理装置に送信する工程を含むことを特徴とする請求項１６に記載の撮影オーダ情報の管理方法。
【請求項１８】
前記オーダ管理工程では、撮影オーダ情報の追加又は変更を行い、
前記オーダ管理工程において追加又は変更された撮影オーダ情報の更新情報を前記制御装置から前記情報管理装置に送信する工程を含むことを特徴とする請求項１０〜１７の何れか一項に記載の撮影オーダ情報の管理方法。
【発明の詳細な説明】
【０００１】
【発明の属する技術分野】
本発明は、回診先において撮影を行う医用画像撮影システム及び撮影オーダ情報の管理方法に関する。
【０００２】
【従来の技術】
医療の分野においては、患者を撮影した医用画像のデジタル化が実現されており、コンピュータ放射線画像撮影装置（以下、ＣＲ；Ｃｏｍｐｕｔｅｄ  Ｒａｄｉｏｇｒａｐｈｙという。）や核磁気共鳴イメージング装置（以下、ＭＲＩ；Ｍａｇｎｅｔｉｃ  Ｒｅｓｏｎａｎｃｅ  Ｉｍａｇｉｎｇという。）等によりデジタル画像データを得て通信ネットワークを介して画像管理装置や表示装置に配信する医用画像撮影システムが利用されている（例えば、特許文献１参照）。
【０００３】
なかでも、ＣＲは、支持体上に輝尽性蛍光体層を形成した蛍光体プレートを用いるもので、患者を透過した放射線を当該蛍光体プレートに吸収させた後、励起光を照射して蛍光体プレートに吸収された放射線エネルギーを励起させて蛍光として放射させ、この放射された蛍光を光電変換して画像信号を得るものである。
【０００４】
図１７を参照して、上記医用画像撮影システムについて説明する。
図１７に示すように、従来の医用画像撮影システムでは、一般的に患者が撮影室に移動して撮影が行われ、各撮影室には、蛍光体プレートを内蔵して撮影と画像読み取りを行う撮影読取装置や、蛍光体プレートを収納した持ち運び可能なカセッテから画像の読み取りを行うカセッテ専用の読取装置等が固定的に設置されている。
【０００５】
また、各撮影室には、読取装置における画像の読取動作を制御する制御装置が設置され、撮影室近辺には、放射線科内の情報を管理するシステム（以下、ＲＩＳ；Ｒａｄｉｏｌｏｇｙ  Ｉｎｆｏｒｍａｔｉｏｎ  Ｓｙｓｔｅｍという。）に対応するための端末装置（以下、ＲＩＳ端末という。）が設置され、これら各制御装置とＲＩＳ端末は、ＬＡＮ（Ｌｏｃａｌ  Ａｒｅａ  Ｎｅｔｗｏｒｋ）等の通信ネットワークを介して通信可能に接続されている。
【０００６】
以上のように構成された医用画像撮影システムでは、まず撮影前にＲＩＳにおいて、医師からの依頼により、撮影対象の患者氏名、性別等の患者情報や撮影部位、撮影方法等の撮影情報、その他検査情報などを含む撮影オーダ情報が発行され、病院内のフロア毎或いは病棟毎などに設置される各ＲＩＳ端末に配信される。このＲＩＳ端末に配信された撮影オーダ情報は、ＲＩＳ端末に接続された制御装置の何れからでも取得可能であり、撮影技師は、任意の制御装置の設置場所まで移動し、当該制御装置を操作して所望の撮影オーダ情報をＲＩＳ端末から取得することができる。
【０００７】
撮影時には、取得された撮影オーダ情報が制御装置のモニタに表示され、撮影技師は、表示された撮影オーダ情報により指定された患者や撮影部位を確認し、撮影を行う。撮影読取装置により撮影を行った場合は、撮影後すぐに画像の読み取りが自動的に行われるが、カセッテを用いて撮影を行った場合は、カセッテ専用の読取装置に撮影技師がカセッテを装着し、当該読取装置に画像の読み取りを実行させて医用画像データを得る。
【０００８】
撮影後には、制御装置から医用画像データと撮影オーダ情報とがＲＩＳ端末に送信され、ＲＩＳ端末において医用画像データと撮影オーダ情報とが対応付けられてＲＩＳサーバに転送される。転送された医用画像はＲＩＳサーバにおいてデータベース化されて画像管理される。
【０００９】
【特許文献１】
特開平１１−２３９１６５号公報
【００１０】
【発明が解決しようとする課題】
患者が移動可能な場合は、上述したような撮影方法で撮影室にて撮影が行われるが、撮影室までの移動が困難な患者のために、移動可能な撮影装置とカセッテとを用いて、患者のベッドサイド等の回診先で撮影が行われる場合がある。この場合、撮影技師は、回診先において撮影オーダ情報を確認できないため、制御装置で保持されている撮影オーダ情報を印刷する等して回診先に持ち込まなければならず、不便であった。
【００１１】
また、上記システム構成では、病院内のフロア毎或いは病棟毎等に制御装置とＲＩＳ端末とを別個に設置しなければならないため、設置スペースの確保が必要となるとともにシステムの大型化によりコスト高を招くこととなる。
【００１２】
特に、ＣＲでは、緊急撮影の依頼が多く、割り込み撮影が頻繁であるとともに、撮影の変更（撮影順序の変更、撮影オーダ情報の追加、撮影条件や患者の変更、キャンセル）が頻繁に行われる。制御装置では、撮影オーダ情報の管理機能を有していないため、撮影の変更や追加がある度に、変更に応じてＲＩＳ端末において撮影オーダ情報の更新を行ったり、追加分の撮影に対応する撮影オーダ情報を新たに発行したりしなければならず、撮影作業の効率が悪かった。また、ＲＩＳのシステムダウン時には撮影オーダ情報を取得できないとともに、医用画像の管理が行えず、医療活動に支障をきたすこととなる。
【００１３】
本発明の課題は、簡素なシステム構成で、撮影を効率良く行うことができる医用画像撮影システムを提供することである。
【００１４】
【課題を解決するための手段】
請求項１に記載の発明は、
患者の医用画像を撮影しカセッテに記録する移動可能な撮影装置と、撮影オーダ情報を管理する情報管理装置と、前記情報管理装置から通信ネットワークを介して撮影オーダ情報を取得する少なくとも一つの制御装置と、から構成された医用画像撮影システムであって、
前記制御装置は、
前記情報管理装置から取得された撮影オーダ情報を記憶する記憶手段と、
撮影オーダ情報の管理を行うオーダ管理手段と、
カセッテから医用画像を読み取る読取装置から医用画像及び医用画像の関連情報を取得し、当該取得された医用画像と撮影オーダ情報とを対応付けて画像登録を行う画像登録手段と、
前記オーダ管理手段によるオーダ管理の際には第１の表示モードで操作画面を表示し、前記画像登録手段による画像登録の際には第２の表示モードで操作画面を表示する表示手段と、
を備えることを特徴としている。
【００１５】
請求項１０に記載の発明は、
患者の医用画像を撮影しカセッテに記録する移動可能な撮影装置と、撮影オーダ情報を管理する情報管理装置と、前記情報管理装置から通信ネットワークを介して撮影オーダ情報を取得する少なくとも一つの制御装置と、から構成された医用画像撮影システムにおける撮影オーダ情報の管理方法であって、
前記制御装置において、
前記情報管理装置から取得された撮影オーダ情報を記憶手段に記憶する工程と、
撮影オーダ情報の管理を行うオーダ管理工程と、
カセッテから医用画像を読み取る読取装置から医用画像及び医用画像の関連情報を取得し、当該取得された医用画像を撮影オーダ情報と対応付けて画像登録する画像登録工程と、
オーダ管理の際には第１の表示モードで操作画面を表示し、画像登録の際には第２の表示モードで操作画面を表示手段に表示する表示工程と、
を含むことを特徴としている。
【００１６】
請求項１、１０に記載の発明によれば、撮影オーダ情報が携帯端末に表示されるので、患者のベッドサイド等の回診先で撮影を行う場合であっても、撮影技師は携帯端末により容易に撮影対象の患者や撮影条件を確認することができる。従って、回診先における撮影を効率良くかつ正確に行うことができる。また、制御装置は医用画像の読取制御機能に加えて撮影オーダ情報の管理機能を備えるので、ＲＩＳ端末を別途設置する必要がなく、撮影に変更が生じた場合でも適宜対応することができる。さらに、オーダ管理機能により動作中は第１の表示モードで、読取制御機能により動作中は第２の表示モードで操作画面が表示されるので、撮影技師は制御装置が現在どの機能により動作中かを操作画面から容易に判別することができる。
【００１７】
請求項２に記載の発明は、請求項１に記載の医用画像撮影システムにおいて、前記制御装置の表示手段は、前記第１の表示モードでは帳簿形式で操作画面を表示し、前記第２の表示モードではグラフィック形式で操作画面を表示することを特徴としている。
【００１８】
請求項１１に記載の発明は、
前記表示工程において、前記第１の表示モードでは帳簿形式で操作画面を表示し、前記第２の表示モードではグラフィック形式で操作画面を表示することを特徴とする請求項１０に記載の撮影オーダ情報の管理方法。
【００１９】
請求項２、１１に記載の発明によれば、第１の表示モードは帳簿形式であり、第２の表示モードはグラフィック形式であるので、オーダ管理の動作時と画像登録の動作時とで画面構成が全く異なり、どちらの機能で動作中かの判別が容易となる。
【００２０】
請求項３に記載の発明は、請求項１又は２に記載の医用画像撮影システムにおいて、
前記制御装置は、前記オーダ管理手段によるオーダ管理動作と前記画像登録手段による画像登録動作との切り換え指示を入力する入力手段を備えることを特徴としている。
【００２１】
請求項１２に記載の発明は、請求項１０又は１１に記載の撮影オーダ情報の管理方法において、
前記オーダ管理工程におけるオーダ管理動作と前記画像登録工程における画像登録動作との切り換え指示を入力する工程を含むことを特徴としている。
【００２２】
請求項３、１２に記載の発明によれば、目的に応じて適宜、オーダ管理動作と画像登録動作との切り換えを指示することができ、操作性が向上する。
【００２３】
請求項４に記載の発明は、請求項３に記載の医用画像撮影システムにおいて、
前記読取装置は、カセッテから医用画像とカセッテの識別情報を読み取り、当該読み取られた医用画像にカセッテの識別情報を対応付け、
前記制御装置において、
前記入力手段は、前記記憶された撮影オーダ情報に対応付けるカセッテの識別情報を入力し、
前記記憶手段は、前記入力されたカセッテの識別情報を撮影オーダ情報に対応付けて記憶し、
前記画像登録手段は、前記読取装置から医用画像と医用画像に対応付けられたカセッテの識別情報を取得し、当該医用画像に対応付けられたカセッテの識別情報と、撮影オーダ情報に対応付けられたカセッテの識別情報とに基づいて、取得された医用画像を撮影オーダ情報に対応付けることを特徴としている。
【００２４】
請求項１３に記載の発明は、請求項１２に記載の撮影オーダ情報の管理方法において、
前記読取装置が、カセッテから医用画像とカセッテの識別情報を読み取り、当該読み取られた医用画像にカセッテの識別情報を対応付ける工程と、
前記制御装置において、
前記記憶された撮影オーダ情報の撮影に用いるカセッテの識別情報を入力する工程と、
前記入力されたカセッテの識別情報を撮影オーダ情報に対応付ける工程と、
前記読取装置から医用画像と医用画像に対応付けられたカセッテの識別情報を取得する工程と、
前記取得された医用画像に対応付けられたカセッテの識別情報と、撮影オーダ情報に対応付けられたカセッテの識別情報とに基づいて、取得された医用画像を撮影オーダ情報に対応付ける工程と、
を含むことを特徴としている。
【００２５】
請求項４、１３に記載の発明によれば、制御装置においてカセッテと撮影オーダ情報との対応付けが行われ、さらに撮影オーダ情報と医用画像との対応付けが行われるので、確実に医用画像と撮影オーダ情報を対応付けることができ、医用画像を正確に管理することができる。また、撮影技師が対応付けを行う作業を省略することができ、撮影技師の作業負担を軽減させることができる。
【００２６】
請求項５に記載の発明は、請求項４に記載の医用画像撮影システムにおいて、
前記制御装置は、前記撮影オーダ情報に対応付けられた医用画像及び／又はその医用画像の関連情報を前記情報管理装置に送信することを特徴としている。
【００２７】
請求項１４に記載の発明は、請求項１３に記載の撮影オーダ情報の管理方法において、
前記制御装置が、前記撮影オーダ情報に対応付けられた医用画像及び／又はその医用画像の関連情報を前記情報管理装置に送信する工程を含むことを特徴としている。
【００２８】
請求項５、１４に記載の発明によれば、制御装置において撮影オーダ情報に対応付けられた医用画像及び／又は関連情報が情報管理装置に送信されるので、情報管理装置では医用画像のデータベース化が容易となるとともに、医用画像を正確に管理することができる。
【００２９】
請求項６に記載の発明は、請求項１〜３の何れか一項に記載の医用画像撮影システムにおいて、
前記制御装置の少なくとも一つに接続可能な複数の携帯端末を備え、
前記制御装置において、
前記オーダ管理手段は、前記記憶された撮影オーダ情報のうち、指定された撮影オーダ情報を前記携帯端末に送信し、
前記携帯端末は、
前記制御装置から送信された撮影オーダ情報を記憶する記憶手段と、
前記記憶された撮影オーダ情報を表示する表示手段と、
を備えることを特徴としている。
【００３０】
請求項１５に記載の発明は、請求項１０〜１２の何れか一項に記載の撮影オーダ情報の管理方法において、
前記制御装置の少なくとも一つに接続可能な携帯端末に、制御装置の記憶手段に記憶された撮影オーダ情報のうち、指定された撮影オーダ情報を送信する工程と、
前記携帯端末において、
前記制御装置から送信された撮影オーダ情報を記憶手段に記憶する工程と、
前記記憶された撮影オーダ情報を表示する工程と、
を含むことを特徴としている。
【００３１】
請求項６、１５に記載の発明によれば、撮影オーダ情報が携帯端末に表示されるので、患者のベッドサイド等の回診先で撮影を行う場合であっても、撮影技師は携帯端末により容易に撮影対象の患者や撮影条件を確認することができる。従って、回診先における撮影を効率良くかつ正確に行うことができる。
【００３２】
請求項７に記載の発明は、請求項６に記載の医用画像撮影システムにおいて、前記読取装置は、カセッテから医用画像とカセッテの識別情報を読み取り、当該読み取られた医用画像にカセッテの識別情報を対応付け、
前記携帯端末は、前記記憶された撮影オーダ情報と、撮影に用いられるカセッテの識別情報とを対応付けて前記記憶手段に記憶し、当該撮影オーダ情報に対応付けられたカセッテの識別情報を前記制御装置に送信し、
前記制御装置において、
前記画像登録手段は、前記読取装置から医用画像と医用画像に対応付けられたカセッテの識別情報を取得し、当該医用画像に対応付けられたカセッテの識別情報と、前記携帯端末から送信された撮影オーダ情報に対応付けられたカセッテの識別情報とに基づいて、取得された医用画像を撮影オーダ情報に対応付けることを特徴としている。
【００３３】
請求項１６に記載の発明は、請求項１５に記載の撮影オーダ情報の管理方法において、
前記読取装置が、カセッテから医用画像とカセッテの識別情報とを読み取り、当該読み取られた医用画像にカセッテの識別情報を対応付ける工程と、
前記携帯端末が、前記記憶された撮影オーダ情報と、撮影に用いられるカセッテの識別情報とを対応付けて前記記憶手段に記憶し、当該撮影オーダ情報に対応付けられたカセッテの識別情報を前記制御装置に送信する工程と、
前記制御装置において、
前記読取装置から医用画像と医用画像に対応付けられたカセッテの識別情報を取得する工程と、
前記取得された医用画像に対応付けられたカセッテの識別情報と、前記携帯端末から送信された撮影オーダ情報に対応付けられたカセッテの識別情報とに基づいて、取得された医用画像を撮影オーダ情報に対応付ける工程と、
を含むことを特徴としている。
【００３４】
請求項７、１６に記載の発明によれば、携帯端末においてカセッテと撮影オーダ情報との対応付けが行われ、制御装置において撮影オーダ情報と撮影された医用画像との対応付けが行われるので、確実に医用画像と撮影オーダ情報を対応付けることができ、医用画像を正確に管理することができる。また、撮影技師が対応付けを行う作業を省略することができ、撮影技師の作業負担を軽減させることができる。
【００３５】
請求項８に記載の発明は、請求項７に記載の医用画像撮影システムにおいて、前記制御装置は、前記撮影オーダ情報に対応付けられた医用画像及び／又は医用画像の関連情報を前記情報管理装置に送信することを特徴としている。
【００３６】
請求項１７に記載の発明は、請求項１６に記載の撮影オーダ情報の管理方法において、
前記撮影オーダ情報に対応付けられた医用画像及び／又はその医用画像の関連情報を前記制御装置から前記情報管理装置に送信する工程を含むことを特徴としている。
【００３７】
請求項８、１７に記載の発明によれば、制御装置において撮影オーダ情報に対応付けられた医用画像及び／又は関連情報が情報管理装置に送信されるので、情報管理装置では医用画像のデータベース化が容易となるとともに、医用画像を正確に管理することができる。
【００３８】
請求項９に記載の発明は、請求項１〜８の何れか一項に記載の医用画像撮影システムにおいて、
前記制御装置において、
前記オーダ管理手段は、撮影オーダ情報の変更又は追加を行い、当該変更又は追加された撮影オーダ情報の更新情報を前記情報管理装置に送信することを特徴としている。
【００３９】
請求項１８に記載の発明は、請求項１０〜１７の何れか一項に記載の撮影オーダ情報の管理方法において、
前記オーダ管理工程では、撮影オーダ情報の追加又は変更を行い、
前記オーダ管理工程において追加又は変更された撮影オーダ情報の更新情報を前記制御装置から前記情報管理装置に送信する工程を含むことを特徴としている。
【００４０】
請求項９、１８に記載の発明によれば、制御装置において撮影オーダ情報の追加又は変更を行うことができ、当該制御装置により更新された撮影オーダ情報の更新情報が情報管理装置に送信されるので、情報管理装置において統括的に管理されている撮影オーダ情報を容易に更新することができる。
【００４１】
【発明の実施の形態】
以下、図を参照して本発明の実施の形態を詳細に説明する。
本実施の形態では、医用画像撮影システムに撮影オーダ情報を表示する携帯端末を複数備えるとともに、制御装置に従来備えていた、医用画像を取得し、医用画像と撮影オーダ情報とを対応付ける画像登録機能に加えて、撮影オーダ情報の管理機能を備え、制御装置が現在どちらの機能で動作中かを容易に把握できるように、撮影オーダ情報を管理する際に表示する操作画面と、医用画像の読取制御を行う際に表示する操作画面とを異なる表示モードで表示する例を説明する。
【００４２】
まず、構成を説明する。
図１に、本実施の形態における医用画像撮影システム１００のシステム構成を示す。
図１に示すように、医用画像撮影システム１００は、移動型撮影装置１０、カセッテ専用の読取装置２０、情報管理装置３０、制御装置４０、携帯端末６０を備えて構成され、読取装置２０、情報管理装置３０及び制御装置４０は通信ネットワークＮを介して接続されている。また、携帯端末６０は通信端末６０ａを介して特定の制御装置４０と情報の送受信が可能に接続されている。なお、制御装置４０、携帯端末６０の設置個数は、一又は複数であってもよく、特に限定しない。
【００４３】
移動型撮影装置１０は、放射線発生源を備えた移動可能な撮影装置であり、回診先で患者を撮影し（以下、ポータブル撮影するという。）、当該撮影された医用画像をカセッテｃに記録する。カセッテｃは、蛍光体プレートを内蔵して移動型撮影装置１０により撮影された医用画像を記録するものである。カセッテｃの表面には、当該カセッテｃを他のカセッテｃと識別するための識別情報（以下、カセッテＩＤという。）がバーコード化されて設けられている。
【００４４】
読取装置２０は、制御装置４０の指示に従ってカセッテｃに記録されている医用画像の読み取りを行うものであり、カセッテｃから医用画像とカセッテＩＤを読み取って、当該読み取られた医用画像をカセッテＩＤと対応付けて制御装置４０に送信する。
【００４５】
情報管理装置３０は、医師からの依頼を受け付けて撮影オーダ情報を発行し、当該発行された撮影オーダ情報に、その撮影オーダ情報を他の撮影オーダ情報と識別するための識別情報（以下、オーダＩＤという。）を付して管理するものである。情報管理装置３０としては、病院内の情報を管理するシステム（以下、ＨＩＳ；Ｈｏｓｐｉｔａｌ  Ｉｎｆｏｒｍａｔｉｏｎ  Ｓｙｓｔｅｍという。）、ＲＩＳ等の情報管理システムにおけるサーバや撮影オーダ情報の発行受付を行う受付端末が適用可能である。
【００４６】
情報管理装置３０は、発行された撮影オーダ情報を各制御装置４０に同時送信するとともに、各制御装置４０から送信された医用画像及び撮影オーダ情報を対応付けて記憶し、画像管理を行う。
【００４７】
制御装置４０は、画像登録機能と、オーダ管理機能とを有する。なお、画像登録機能とは、読取装置２０と通信を行い、読取装置２０においてカセッテから読み取られた医用画像及び医用画像の関連情報（カセッテＩＤ、撮影条件、読取条件等）を取得する機能、取得された医用画像と撮影オーダ情報とを対応付ける（以下、画像登録という。）機能等である。また、オーダ管理機能とは、撮影オーダ情報の更新（追加又は変更）を行う機能、通信端末６０ａを介して接続される各携帯端末６０への撮影オーダ情報の配信する機能等である。
【００４８】
図２に、制御装置４０の機能的構成を示す。
図２に示すように、制御装置４０は、制御部４１、入力部４２、表示部４３、通信部４４、ＲＡＭ（Ｒａｎｄｏｍ  Ａｃｃｅｓｓ  Ｍｅｍｏｒｙ）４５、記憶部４６、Ｉ／Ｆ（ＩｎｔｅｒＦａｃｅ）４７を備えて構成される。
【００４９】
制御部４１は、ＣＰＵ（Ｃｅｎｔｒａｌ  Ｐｒｏｃｅｓｓｉｎｇ  Ｕｎｉｔ）等により構成され、記憶部４６に格納されるシステムプログラムの他、本発明に係るオーダ送信処理プログラム（図６参照）、画像登録処理プログラム（図１１参照）等をＲＡＭ４５に展開して、当該プログラムとの協働により処理動作を統括的に制御する。
【００５０】
入力部４２は、患者情報や撮影情報を入力するための数字キー、文字キー、各種機能キー等を含むキーボードや表示部４３と一体型に構成されるタッチパネルにより構成され、操作されたキーに対応する操作信号を制御部４１に出力する。入力部４２は、撮影オーダ情報の管理を行うオーダ管理モードと、医用画像を取得し、画像登録を行う画像登録モードとを切り換えるキーを各モード時に表示される操作画面上に備える。
【００５１】
表示部４３は、ＬＣＤ（Ｌｉｑｕｉｄ  Ｃｒｙｓｔａｌ  Ｄｉｓｐｌａｙ）等により構成され、各種操作画面や、制御部４１による処理結果等の各種表示情報を表示する。表示部４３は、オーダ管理モード時に表示する操作画面と、画像登録モード時に表示する操作画面とで異なる表示モードで表示し、オーダ管理モードでは帳簿形式で表示し、画像登録モードではグラフィック形式で表示する。
【００５２】
通信部４４は、ネットワークインターフェース、モデム等により構成され、通信ネットワークＮ上の外部機器と情報の送受信を行う。例えば、撮影前には情報管理装置３０から撮影オーダ情報を受信し、撮影後には読取装置２０から読み取られた医用画像及びカセッテＩＤを受信するとともに、医用画像及び医用画像に対応付けられた撮影オーダ情報のオーダＩＤを画像登録情報として情報管理装置３０に送信する。また、撮影オーダ情報の更新情報を情報管理装置３０に送信する。
【００５３】
ＲＡＭ４５は、制御部４１によって実行される各種プログラム及びこれらプログラムに係るデータを一時的に記憶するワークエリアを形成する。
【００５４】
記憶部４６は、磁気的又は光学的記憶媒体、若しくは半導体メモリで構成され、システムプログラムの他、オーダ送信処理プログラム、画像登録処理プログラム及び各プログラムで処理されたデータ等を記憶する。
【００５５】
記憶部４６は、画像データベース（図示せず）を備えて読取装置２０から受信された医用画像のデータファイルを格納する。また、撮影オーダ情報を更新可能に格納する撮影オーダ情報ファイル４６１（図３参照）、撮影オーダ情報と撮影された医用画像との対応関係を記憶するための登録情報ファイル４６２（図４参照）を備えている。
【００５６】
撮影オーダ情報ファイル４６１には、図３に示すように、オーダＩＤ順に撮影オーダ情報が格納される。撮影オーダ情報には、撮影対象の患者のＩＤ、患者氏名等の患者に関する情報（以下、患者情報という。）、撮影条件、撮影日等の撮影に関する情報（以下、撮影情報という。）等が含まれている。
【００５７】
また、各撮影オーダ情報には、撮影オーダ情報が携帯端末６０に送信されたか否かを示す送信済みフラグと、撮影オーダ情報の撮影が終了したか否かを示す撮影済みフラグと、ポータブル撮影が指定されているか否かを示すポータブルの項目が設定される。携帯端末６０に送信された撮影オーダ情報の送信済みフラグはＯＮに設定され、未送信の撮影オーダ情報の送信済みフラグはＯＦＦに設定される。また、登録情報ファイル４６２においてカセッテＩＤが対応付けられた撮影オーダ情報の撮影済みフラグはＯＮに設定され、カセッテＩＤが対応付けられていない撮影オーダ情報の撮影済みフラグはＯＦＦに設定される。さらに、ポータブル撮影が指定された撮影オーダ情報のポータブルの項目には撮影場所（例えば、病室名“２０１号室”など）の情報が格納され、撮影室で撮影を行う通常撮影が指定された撮影オーダ情報のポータブルの項目には情報が格納されない。
【００５８】
登録情報ファイル４６２には、図４に示すように、撮影オーダ情報のオーダＩＤと、その撮影オーダ情報の撮影に用いられたカセッテｃのカセッテＩＤと、そのカセッテｃから読み取られた医用画像のファイル名とが対応付けて格納される。
【００５９】
Ｉ／Ｆ４７は、制御装置４０と通信端末６０ａとを接続するためのインターフェイスであり、携帯端末６０が通信端末６０ａに装着されると、検出信号を制御部４１に出力する。Ｉ／Ｆ４７は、通信端末６０ａを介して接続される携帯端末６０に撮影オーダ情報を送信し、当該送信された撮影オーダ情報に対応付けられたカセッテＩＤを携帯端末６０から受信する。
【００６０】
次に、携帯端末６０について説明する。
携帯端末６０は、通信端末６０ａを介して特定の制御装置４０に接続可能な携帯型情報処理装置であり、制御装置４０からポータブル撮影における撮影オーダ情報を受信して表示するものである。また、携帯端末６０は、撮影オーダ情報とその撮影に用いられるカセッテｃとの対応付け（以下、カセッテ登録という。）を行い、当該撮影オーダ情報に対応付けられたカセッテｃのカセッテＩＤをカセッテ登録情報として制御装置４０に送信する。
【００６１】
通信端末６０ａは、ケーブル等を介して特定の制御装置４０に接続され、通信端末６０ａに装着された携帯端末６０と制御装置４０との間で情報の送受信を制御する。また、通信端末６０ａは、携帯端末６０が装着されると、制御装置４０に検出信号を送信するとともに装着された携帯端末６０の充電を行う。
【００６２】
図５に、携帯端末６０の機能的構成を示す。
図５に示すように、携帯端末６０は、制御部６１、入力部６２、表示部６３、Ｉ／Ｆ６４、ＲＡＭ６５、記憶部６６、バーコードリーダ６７を備えて構成される。
【００６３】
制御部６１は、ＣＰＵ等により構成され、記憶部６６に格納されるシステムプログラムの他、本発明に係るカセッテ登録処理プログラム（図９参照）等をＲＡＭ６５に展開して、当該プログラムとの協働により処理動作を統括的に制御する。
【００６４】
入力部６２は、数字キー、文字キー、各種機能キー等を含むキーボードや表示部６３と一体型に構成されるタッチパネル、ジョグダイアル等から構成される。
【００６５】
表示部６３は、ＬＣＤ等により構成され、各種操作画面や入力部６２からの入力情報、制御部６１による処理結果等の各種表示情報を表示する。
【００６６】
Ｉ／Ｆ６４は、携帯端末６０と通信端末６０ａとを接続するためのインターフェイスであり、携帯端末６０が通信端末６０ａに装着されると、検出信号を制御部６１に出力する。また、Ｉ／Ｆ６４は、通信端末６０ａを介して制御装置４０から撮影オーダ情報を受信し、当該受信された撮影オーダ情報に対するカセッテ登録情報を制御装置４０に送信する。なお、Ｉ／Ｆ６４は、必要に応じてＰＨＳ等の携帯電話端末を接続し、無線通信を確立してデータの送受信を行う構成であってもよい。
【００６７】
ＲＡＭ６５は、制御部６１によって実行される各種プログラム及びこれらプログラムに係るデータを一時駅に記憶するワークエリアを形成する。
【００６８】
記憶部６６は、磁気的又は光学的記憶媒体、若しくは半導体メモリで構成され、システムプログラムの他、カセッテ登録処理プログラム及び各プログラムで処理されたデータ等を記憶する。
【００６９】
また、記憶部６６は、制御装置４０から受信された撮影オーダ情報を更新可能に格納する撮影オーダ情報ファイル６６１（図示せず）と、撮影オーダ情報と当該撮影オーダ情報の撮影に用いられたカセッテｃとの対応関係を登録するためのカセッテ登録情報ファイル６６２（図示せず）とを格納している。
【００７０】
撮影オーダ情報ファイル６６１のデータ構成は、上述した制御装置４０が備える撮影オーダ情報ファイル４６１から送信済みフラグの項目が削除されただけであるため、その図示及び説明は省略する。すなわち、撮影オーダ情報ファイル６６１には、オーダＩＤ順に撮影オーダ情報が複数格納され、各撮影オーダ情報には撮影済みフラグ及びポータブルの項目が設定されている。
【００７１】
カセッテ登録情報ファイル６６２のデータ構成は、上述した制御装置４０が備える登録情報ファイル４６２から医用画像ファイル名の項目を削除しただけであるので、その図示及び説明を省略する。すなわち、カセッテ登録情報ファイル６６２には、撮影オーダ情報を示すオーダＩＤと、その撮影オーダ情報の撮影に用いられたカセッテＩＤとが対応付けて格納されている。
【００７２】
バーコードリーダ６７は、光学的な読取機構のスキャナを有し、カセッテｃの表面からカセッテＩＤのバーコードを読み取り、所定の規格に従ってデコードすることによりバーコードが示すカセッテＩＤを取得する。なお、患者のベッドサイド又は患者の身体の一部に、患者ＩＤをバーコード化して付帯し、当該付帯されたバーコードをバーコードリーダ６７により読み取って患者ＩＤを取得することも可能である。
【００７３】
次に、本実施の形態における動作を説明する。
まず、図６を参照して、制御装置４０により実行されるオーダ送信処理を説明する。このオーダ送信処理は、オーダ管理モードで行われる処理であり、情報管理装置３０から撮影オーダ情報を取得して携帯端末６０に送信する処理である。
【００７４】
図６に示すオーダ送信処理では、ステップＳ１において、情報管理装置３０で発行された撮影オーダ情報を要求する要求情報が生成され、通信部４４により情報管理装置３０に送信される。そして、情報管理装置３０から撮影オーダ情報が取得されると、ステップＳ２では、当該取得された撮影オーダ情報が一覧表示されたオーダリスト画面４３１（図７参照）が表示部４３に表示される。
【００７５】
図７に示すように、オーダリスト画面４３１は、帳簿形式で表示される。表示領域ａ１には、撮影オーダ情報が帳簿形式で一覧表示され、オーダＩＤａ１１毎に、患者ＩＤ、患者の氏名、性別、年齢等の患者情報ａ１２、撮影を依頼した診療科を示す依頼科ａ１３、撮影部位ａ１４、撮影枚数ａ１５が表示される。また、各撮影オーダ情報には、ポータブル撮影か通常撮影かを示すポータブルａ１６の項目と、撮影が終了し画像登録が終了したか否かを示す検査完了ａ１７の項目が設けられる。ポータブルａ１６では、ポータブル撮影の場合のみ撮影を行う病室名（例えば、“２０１号室”）が表示され、通常撮影であれば非表示にされる。また、検査完了ａ１７では、画像登録が終了した場合のみ「済み」と表示され、画像未登録の場合は非表示にされる。
【００７６】
また、表示領域ａ２には、一覧表示された撮影オーダ情報のうち選択された撮影オーダ情報の詳細情報が表示される。詳細情報としては、例えば患者の氏名、性別、年齢等の患者情報ａ２１が表示され、患者情報の下部に撮影部位、撮影方向等の各種撮影条件ａ２２と、撮影条件をコード化した撮影コードａ２３と、撮影枚数ａ２４とが表示される。
【００７７】
また、オーダリスト画面４３１の上部には、ポータブル撮影を指定するためのポータブルキーａ３と、撮影が終了した後に、オーダ管理モードから画像登録モードへの切り換えを指示するための検査開始キーａ４が設けられる。
【００７８】
次いで、ステップＳ３では、オーダリスト画面４３１においてポータブルキーａ３によりポータブル撮影が指定されたか否かが判別される。ポータブルキーａ３が押下されない場合は（ステップＳ３；Ｎ）、通常撮影に応じた処理へ移行し、ポータブルキーａ３が押下され、ポータブル撮影が指定された場合（ステップＳ３；Ｙ）、ステップＳ４に移行する。
【００７９】
ステップＳ４では、情報管理装置３０から取得された撮影オーダ情報のうち、ポータブル指定されている撮影オーダ情報、つまりオーダリスト画面４３１においてリスト表示された撮影オーダ情報のうち、ポータブルａ１６の項目に病室が設定されている撮影オーダ情報が抽出される。そして、ポータブル撮影用のオーダリスト画面４３２（図８参照）が表示部４３に表示され、抽出された撮影オーダ情報がリスト表示される。
【００８０】
図８に示すように、ポータブル撮影用のオーダリスト画面４３２では、オーダリスト画面４３１と同様に、表示領域ａ１に抽出された撮影オーダ情報がリスト表示される。また、表示領域ａ５に、リスト表示された撮影オーダ情報のうち、選択された撮影オーダ情報の詳細情報が表示され、患者氏名ａ５１、オーダＩＤａ５２、撮影条件ａ５３、撮影条件がコード化された撮影コードａ５４、撮影場所ａ５５、撮影枚数ａ５６が表示される。
【００８１】
また、表示領域ａ６には、制御装置４０に接続される携帯端末６０のうち、撮影オーダ情報を送信する携帯端末６０を選択するためのＰＤＡキーａ６１と、ＰＤＡキーａ６１の選択操作を確定するためのＯＫキーａ６２が表示される。
【００８２】
このオーダリスト画面４３２では、ＰＤＡキーａ６１の押下が待機され、ステップＳ５では、オーダリスト画面４３２においてＰＤＡキーａ６１により撮影オーダ情報を送信する携帯端末が選択指定されたか否かが判別される。ＰＤＡキーａ６１が押下され、ＯＫキーａ６２が押下されて選択が確定されると（ステップＳ５；Ｙ）、抽出されたポータブル撮影の撮影オーダ情報が選択指定された携帯端末６０に通信端末６０ａを介して送信される（ステップＳ６）。なお、オーダリスト画面４３２において、送信する撮影オーダ情報を選択し、選択された撮影オーダ情報を送信することとしてもよい。送信後、撮影オーダ情報ファイル４６１において送信された撮影オーダ情報の送信済みフラグがＯＮに設定され、本処理を終了する。
【００８３】
撮影技師は、撮影オーダ情報を送信した携帯端末６０を携帯して撮影オーダ情報により指定された撮影場所へカセッテｃ、移動型撮影装置１０を持ち運び、撮影準備を行う。
【００８４】
次に、図９を参照して携帯端末６０により実行されるカセッテ登録処理について説明する。このカセッテ登録処理は、制御装置４０から送信された撮影オーダ情報とその撮影に用いるカセッテｃとを対応付ける処理である。
図９に示すカセッテ登録処理では、ステップＰ１において、制御装置４０から撮影オーダ情報が受信されたか否かが判別され、撮影オーダ情報が受信されていない場合は（ステップＰ１；Ｎ）、受信が待機される。
【００８５】
一方、制御装置４０から撮影オーダ情報が受信された場合（ステップＰ１；Ｙ）、受信された撮影オーダ情報が撮影オーダ情報ファイル６６１に格納され（ステップＰ２）、当該格納された撮影オーダ情報に基づいて、患者リスト画面６３１（図１０（ａ）参照）が表示部６３に表示される（ステップＰ３）。図１０（ａ）に示すように、患者リスト画面６３１では、表示領域ｆ１に撮影対象の患者の患者ＩＤ、氏名等がリスト表示される。撮影技師は、撮影対象の患者のベッドサイドで携帯端末６０に表示された患者リスト画面６３１を確認し、リスト表示された患者の中から撮影対象の患者を選択入力する。
【００８６】
患者リスト画面６３１においてリスト表示された患者のうち、撮影対象の患者が撮影技師により選択されると、オーダリスト画面６３２（図１０（ｂ）参照）が表示部６３に表示される（ステップＰ４）。図１０（ｂ）に示すように、オーダリスト画面６３２では、選択された患者の患者情報ｇ１とともに撮影条件ｇ２がリスト表示される。
【００８７】
撮影技師は、オーダリスト画面６３２においてリスト表示された撮影条件ｇ２のうち、カセッテ登録したい撮影オーダ情報の撮影条件ｇ２を選択指定し、撮影に用いるカセッテｃから携帯端末６０のバーコードリーダ６７によりカセッテＩＤのバーコードを読み取らせる。
【００８８】
携帯端末６０ではオーダリスト画面６３２における撮影条件ｇ２の選択入力が待機され、撮影技師により登録対象の撮影オーダ情報の撮影条件ｇ２が選択指定されると（ステップＰ５；Ｙ）、バーコードリーダ６７によりカセッテＩＤのバーコードが読み取られ、カセッテＩＤが取得されたか否かが判別される（ステップＰ６）。カセッテＩＤが取得されない場合は（ステップＰ６；Ｎ）、取得が待機される。
【００８９】
カセッテＩＤが取得された場合（ステップＰ６；Ｙ）、カセッテ登録情報ファイル６６２において、指定された撮影オーダ情報と取得されたカセッテＩＤとが対応付けて格納される（ステップＰ７）。カセッテ登録が終了すると、図１０（ｂ）に示すように、オーダリスト画面６３２では、登録されたカセッテｃのカセッテＩＤｇ３が撮影条件ｇ２に表示され、カセッテ登録されたことが通知される。
【００９０】
撮影技師は、オーダリスト画面６３２においてカセッテ登録が終了したことを確認し、登録されたカセッテｃを用いて患者の撮影を行う。なお、回診先において複数人の患者を連続して撮影する場合には、ステップＰ２〜Ｐ７の処理が繰り返され、カセッテ登録が順次行われることとする。また、カセッテ登録と撮影の順序は問わず、撮影を行った後に携帯端末６０によりカセッテ登録を行うこととしてもよい。そして、撮影が終了すると、撮影技師は制御装置４０が設置されている撮影室に戻り、制御装置４０に接続されている通信端末６０ａに携帯端末６０を装着する。
【００９１】
携帯端末６０では、通信端末６０ａへの装着が待機され、ステップＰ８では、携帯端末６０が通信端末６０ａに装着されたか否かが判別される。そして、携帯端末６０が通信端末６０ａに装着されると（ステップＰ８；Ｙ）、通信端末６０ａを介して接続される制御装置４０にカセッテ登録情報が送信され（ステップＰ９）、本処理を終了する。
【００９２】
撮影技師は、携帯端末６０を通信端末６０ａに装着してカセッテ登録情報を制御装置４０に送信した後、カセッテｃを読取装置２０に装着し、制御装置４０の操作に戻る。
【００９３】
次に、図１１を参照して、制御装置４０により実行される画像登録処理について説明する。この画像登録処理は、指示に応じてオーダ管理モードから画像登録モードに移行して読取装置２０から医用画像を取得し、携帯端末６０から送信されたカセッテ登録情報に基づいて撮影オーダ情報と、撮影された医用画像とを対応付ける処理である。なお、説明の前提として、制御装置４０には、図８に示したポータブル撮影用のオーダリスト画面４３２が表示されていることとする。
【００９４】
図１１に示す画像登録処理では、ステップＴ１において、オーダリスト画面４３２で検査開始キーａ４が押下され、医用画像の読み取りが指示されたか否かが判別される。検査開始キーａ４が押下されない場合（ステップＴ１；Ｎ）、押下が待機され、検査開始キーａ４が押下された場合（ステップＴ１；Ｙ）、オーダ管理モードから画像登録モードに切り換えて、カセッテｃから医用画像を読み取るよう指示する指示情報が読取装置２０に送信される。読取装置２０では、装着されたカセッテｃから医用画像とともにカセッテＩＤのバーコードが読み取られてカセッテＩＤが取得され、読み取られた医用画像のヘッダ領域に取得されたカセッテｃのカセッテＩＤが書き込まれる。そして、カセッテＩＤが書き込まれた医用画像は制御装置４０に送信される。
【００９５】
制御装置４０では、携帯端末６０からのカセッテ登録情報の受信が待機され、ステップＴ３では、通信端末６０ａを介してカセッテ登録情報が受信されたか否かが判別される。カセッテ登録情報が受信されると（ステップＴ３；Ｙ）、受信されたカセッテ登録情報に基づき、撮影オーダ情報ファイル４６１においてカセッテが登録された撮影オーダ情報の撮影済みフラグがＯＮに設定されるとともに、登録情報ファイル４６２において撮影オーダ情報とその撮影に用いられたカセッテｃのカセッテＩＤとが対応付けて格納される（ステップＴ４）。
【００９６】
次いで、読取装置２０において読み取られた医用画像の受信が待機され、ステップＴ５では、読取装置２０から医用画像が受信されたか否かが判別される。医用画像が受信されると（ステップＴ５；Ｙ）、受信された医用画像のヘッダ領域からカセッテＩＤが読み出され、登録情報ファイル４６２において、当該読み出されたカセッテＩＤと一致するカセッテＩＤに対応付けて医用画像のファイル名が格納され、画像登録が行われる（ステップＴ６）。
【００９７】
画像登録が終了すると、ステップＴ７では、登録情報ファイル４６２に記憶された対応関係に基づいて、撮影オーダ情報と医用画像とが対応付けて表示された画像確認画面４３３（図１２参照）が表示部４３に表示される。図１２に示すように、画像確認画面４３３はグラフィック形式で表示され、複数患者分の医用画像ｈ２が並列表示される。そして各医用画像ｈ２には、患者ＩＤ、患者氏名の患者情報ｈ１と、撮影条件及び撮影に用いたカセッテのカセッテＩＤを含む撮影情報ｈ３とが対応付けて表示される。さらに、医用画像ｈ２毎に医用画像と撮影オーダ情報との対応関係を確定するＯＫキーｈ４が表示される。
【００９８】
また、画像確認画面４３３の画面上部には、撮影条件の修正を指示する条件修正キーｈ５と、患者情報の修正を指示するための患者修正キーｈ６が設けられ、画面下部には、検査の終了を指示するとともに、画像登録モードからオーダ管理モードへの切り換えを指示するための検査終了キーｈ７が設けられる。
【００９９】
画像確認画面４３３が表示された後、ステップＴ８では、条件修正キーｈ５が押下されたか否かが判別され、条件修正キーｈ５の押下が無い場合は（ステップＴ８；Ｎ）、ステップＴ１０に移行する。一方、条件修正キーｈ５が押下された場合（ステップＴ８；Ｙ）、撮影条件の選択画面４３４（図１３参照）が表示部４３に表示される。図１０に示すように、選択画面４３４では、撮影部位及び撮影方向を選択するための撮影条件キーｃ１が表示される。撮影条件キーｃ１は通常撮影で撮影可能な撮影部位及び撮影方向を選択するためのキーであり、これら撮影条件キーｃ１のうち、ポータブル撮影において撮影不可能な撮影部位及び撮影方向の撮影条件キーｃ２は選択が禁止され、選択できないことを示すために網掛け表示される。
【０１００】
撮影技師は、撮影条件の修正を行う場合は画像確認画面４３３において修正する撮影情報ｈ３を選択後に条件修正キーｈ５を押下し、次に表示された選択画面４３４において撮影条件キーｃ１を用いて撮影条件の修正を行う。一方、撮影オーダ情報の追加を行う場合は、撮影情報ｈ３を選択せずに条件修正キーｈ５を押下し、次に表示された選択画面４３４において追加登録する撮影条件を選択する。
【０１０１】
次いで、ステップＴ９では、選択画面４３４における選択入力に応じて撮影条件の修正又は追加が行われ、当該修正又は追加された撮影条件は撮影オーダ情報ファイル４６１において更新される。そして、更新が終了すると、ステップＴ１０に移行する。
【０１０２】
ステップＴ１０では、患者修正キーｈ６が押下されたか否かが判別される。患者修正キーｈ６の押下が無い場合は（ステップＴ１０；Ｎ）、ステップＴ１２に移行し、患者修正キーｈ６が押下された場合は（ステップＴ１０；Ｙ）、患者情報の入力画面４３５（図１４参照）が表示部４３に表示される。図１４に示すように、入力画面４３５では、新規登録する患者の患者ＩＤ、患者氏名（ローマ字、カナ、漢字）、性別、生年月日等の各種患者情報を入力するための入力領域ｂ１とともに、文字入力のための文字キーｂ２が表示される。
【０１０３】
撮影技師は、患者情報の修正を行う場合は、撮影条件の修正時と同様に画像確認画面４３３において修正対象の患者情報ｈ１を選択後、患者修正キーｈ５を押下し、次に表示された入力画面４３５において文字キーｂ２により患者情報の修正を行う。一方、撮影オーダ情報の追加を行う場合は、画像確認画面４３３において撮影条件のみが登録された撮影情報ｈ３を選択し、患者修正キーｈ５を押下し、次に表示された入力画面４３５において患者情報を入力する。
【０１０４】
次いで、ステップＴ１１では、入力画面４３５における入力に応じて患者情報の修正又は追加が行われ、当該修正又は追加された撮影条件は撮影オーダ情報ファイル４６１において更新される。更新が終了すると、ステップＴ１２に移行する。
【０１０５】
ステップＴ１２では、検査終了キーｈ７が押下されたか否かが判別される。検査終了キーｈ７の押下が無い場合は（ステップＴ１２；Ｎ）、押下が待機され、検査終了キーｈ７が押下された場合は（ステップＴ１２；Ｙ）、医用画像のデータファイル及び画像登録情報が情報管理装置３０に送信されるとともに、撮影オーダ情報の更新情報が情報管理装置３０に送信される（ステップＴ１３）。
【０１０６】
情報管理装置３０では、制御装置４０から送信された画像登録情報に基づいて医用画像がデータベース化されて管理されるとともに、撮影オーダ情報の更新情報に基づいて、情報管理装置３０で管理されている撮影オーダ情報の更新が行われる。
【０１０７】
制御装置４０では、各情報を送信後、本処理を終了し、画像登録モードからオーダ管理モードに移行して最初に説明したオーダ送信処理（図６参照）へ移行する。すなわち、制御装置４０では、図１５に示すように、オーダ管理モードでは帳簿形式の操作画面が表示され、検査開始キーａ４の押下により画像登録モードに切り換えられる。画像登録モードではグラフィック形式の操作画面が表示され、検査終了キーｈ７の押下によりオーダ管理モードに切り換えられる。帳簿形式とグラフィック形式では画面構成が全く異なるため現在機能中のモードを視覚的に判別することができる。
【０１０８】
以上のように、医用画像撮影システム１００では、複数の携帯端末が備えられ、ポータブル撮影の撮影オーダ情報が制御装置４０から携帯端末６０に送信されて表示されるので、患者のベッドサイド等、回診先で撮影する場合でも、撮影技師は携帯する携帯端末６０により撮影オーダ情報を確認することができ、容易に撮影対象の患者や撮影条件を確認することができる。従って、回診先における医用画像の撮影を効率良くかつ正確に行うことができる。
【０１０９】
また、携帯端末６０においてカセッテ登録が行われ、このカセッテ登録情報が携帯端末６０から制御装置４０へ送信されると、制御装置４０においてカセッテ登録情報に基づき、撮影された医用画像と撮影オーダ情報との対応付けが行われるので、撮影技師が撮影オーダ情報と医用画像との対応関係を制御装置４０に入力する作業を省略することができ、撮影技師の作業負担を軽減させることができる。また、撮影技師の入力ミス等により人為的ミスを防止することができ、医用画像を正確に管理することができる。
【０１１０】
また、制御装置４０において最初に情報管理装置３０で登録された撮影オーダ情報を取得しておき、ポータブル撮影の際には、当該取得された撮影オーダ情報のうち、ポータブル撮影の撮影オーダ情報のみが抽出されて自動的に携帯端末６０に送信されるので、撮影技師が複数の撮影オーダ情報の中からポータブル撮影の撮影オーダ情報を検索する作業や送信作業を省略することができ、作業効率が向上する。
【０１１１】
また、制御装置４０に撮影オーダ情報の管理機能を備えたので、撮影オーダ情報の追加や取得された撮影オーダ情報の修正、削除等の変更ができ、撮影時に割り込み撮影や撮影変更が生じた場合でも制御装置４０において対応することができる。従って、ＨＩＳやＲＩＳに対応する端末装置を各フロアや病棟で個別に設置する必要が無く、システムにおける端末装置の設置数を削減してシステム構成の簡素化を図ることができる。
【０１１２】
また、撮影オーダ情報の管理を行うオーダ管理モードでは、帳簿形式で操作画面が表示され、医用画像の読み取り制御を行う画像登録モードでは、グラフィック形式で操作画面が表示されるので、１台の制御装置４０にオーダ管理機能と画像登録機能とを備えても、撮影技師は制御装置４０が現在どちらの機能で動作中かを操作画面の表示形式により容易に把握することができる。一般に、制御装置では、オーダ管理、画像登録の順に撮影作業が進められるので、どちらの機能で動作中かを把握することにより、一連の撮影作業において現在どの工程で作業を行っているのかを容易に認識することができる。
【０１１３】
また、一般的にＲＩＳの開発メーカーは医用画像撮影システムや読取装置の開発メーカーとは異なるメーカーである場合が多く、各メーカーでシステム運用形態が異なるため、ＲＩＳ端末と制御装置とを設置したシステムでエラーが発生した場合、エラー原因の特定が困難であることが予想される。しかし、本発明では、１台の制御装置でオーダ管理機能と画像登録機能とを兼用し、指示に応じて各機能を切り換えるので、エラーが発生した場合でも、どの工程でエラーが発生したのかを容易に判別することができる。
【０１１４】
また、制御装置４０において最初に撮影オーダ情報を情報管理装置３０から取得しておくので、情報管理装置３０側でシステムダウン等の障害が発生した場合であっても、支障をきたすことなく撮影作業をすすめることができる。また、情報管理装置３０側でシステムが復旧したときに制御装置４０から情報管理装置３０に撮影オーダ情報の更新情報を送信することにより、システムダウン時に失われたデータ又は変更されたデータ等を補足することができ、より効率的なシステム運用が可能となる。
【０１１５】
また、上記システム構成では、携帯端末６０は通信端末６０ａを介して特定の制御装置４０に直接接続されるので、システムメンテナンスやシステム変更を行う場合、ある特定の制御装置４０とその制御装置４０に接続される携帯端末６０のみのメンテナンスを行えばよいため、システム変更の自由度が高くシステムの再構成が容易となる。また、直接、情報管理装置３０と携帯端末６０との間で情報のやり取りを行わずに、携帯端末６０を接続する制御装置４０を特定し、制御装置４０において携帯端末６０へ送受信する情報を管理することによりシステムの安定化を図ることができる。
【０１１６】
なお、本実施の形態における記述内容は、本発明を適用した医用画像撮影システム１００の好適な一例であり、これに限定されるものではない。
【０１１７】
例えば、上述した説明では、携帯端末６０においてカセッテ登録を行うこととしたが、制御装置４０においてカセッテ登録することも可能である。この場合、制御装置４０において撮影オーダ情報が一覧表示され、この一覧表示された撮影オーダ情報の中からカセッテ登録対象の撮影オーダ情報を選択後、入力部４２を介してカセッテＩＤを入力することにより、選択された撮影オーダ情報と入力されたカセッテＩＤとが対応付けて登録情報ファイル４６２に記憶される。
【０１１８】
上述した説明では、携帯端末６０は特定の制御装置４０に接続するシステム構成としたが、図１６に示す医用画像撮影システム２００のように、携帯端末６０を通信端末６０ａを介して直接通信ネットワークＮに接続し、この通信ネットワークＮを介して任意の制御装置４０と通信可能なシステム構成とすることとしてもよい。
【０１１９】
図１６に示した医用画像撮影システム２００のシステム構成では、制御装置４０から携帯端末６０に撮影オーダ情報を送信する際に、その撮影オーダ情報に対応するカセッテ登録情報を送信する制御装置を指定しておき、送信する撮影オーダ情報に指定された制御装置の送信先情報（例えば、ＩＰアドレス等）を付帯情報として付帯させることとする。なお、カセッテ登録情報を送信する制御装置が特に指定されない場合は、撮影オーダ情報の送信元である制御装置に携帯端末６０からカセッテ登録情報が送信されることとする。
【０１２０】
この医用画像撮影システム２００におけるシステム構成では、携帯端末６０は制御装置４０の何れとも接続可能であるので、どの制御装置４０からでも所望の携帯端末６０に撮影オーダ情報を送信することができ、利便性が向上する。
【０１２１】
その他、本実施の形態における医用画像撮影システム１００の細部構成及び細部動作に関しても、本発明の趣旨を逸脱することのない範囲で適宜変更可能である。
【０１２２】
【発明の効果】
請求項１、１０に記載の発明によれば、制御装置は医用画像を取得し撮影オーダ情報と対応付ける画像登録機能に加えて撮影オーダ情報の管理機能を実現することができ、ＲＩＳ端末を別途設置する必要がなく、撮影に変更が生じた場合でも適宜対応することができる。さらに、オーダ管理動作中は第１の表示モードで、画像登録動作中は第２の表示モードで操作画面が表示されるので、撮影技師は制御装置が現在どの機能により動作中かを操作画面から容易に判別することができる。従って、簡素なシステム構成で効率良く撮影を行うことができる。
【０１２３】
請求項２、１１に記載の発明によれば、第１の表示モードは帳簿形式であり、第２の表示モードはグラフィック形式であるので、オーダ管理の動作時と画像登録の動作時とで画面構成が全く異なり、どちらの機能で動作中かの判別が容易となる。
【０１２４】
請求項３、１２に記載の発明によれば、目的に応じて適宜、オーダ管理動作と画像登録動作との切り換えを指示することができ、操作性が向上する。
【０１２５】
請求項４、１３に記載の発明によれば、制御装置においてカセッテと撮影オーダ情報との対応付けが行われ、さらに撮影オーダ情報と医用画像との対応付けが行われるので、確実に医用画像と撮影オーダ情報を対応付けることができ、医用画像を正確に管理することができる。また、撮影技師が対応付けを行う作業を省略することができ、撮影技師の作業負担を軽減させることができる。
【０１２６】
請求項５、１４に記載の発明によれば、制御装置において撮影オーダ情報に対応付けられた医用画像及び／又は関連情報が情報管理装置に送信されるので、情報管理装置では医用画像のデータベース化が容易となるとともに、医用画像を正確に管理することができる。
【０１２７】
請求項６、１５に記載の発明によれば、撮影オーダ情報が携帯端末に表示されるので、患者のベッドサイド等の回診先で撮影を行う場合であっても、撮影技師は携帯端末により容易に撮影対象の患者や撮影条件を確認することができる。従って、回診先における撮影を効率良くかつ正確に行うことができる。
【０１２８】
請求項７、１６に記載の発明によれば、携帯端末においてカセッテと撮影オーダ情報との対応付けが行われ、制御装置において撮影オーダ情報と撮影された医用画像との対応付けが行われるので、確実に医用画像と撮影オーダ情報を対応付けることができ、医用画像を正確に管理することができる。また、撮影技師が対応付けを行う作業を省略することができ、撮影技師の作業負担を軽減させることができる。
【０１２９】
請求項８、１７に記載の発明によれば、制御装置において撮影オーダ情報に対応付けられた医用画像及び／又は関連情報が情報管理装置に送信されるので、情報管理装置では医用画像のデータベース化が容易となるとともに、医用画像を正確に管理することができる。
【０１３０】
請求項９、１８に記載の発明によれば、制御装置において撮影オーダ情報の追加又は変更を行うことができ、当該制御装置により更新された撮影オーダ情報の更新情報が情報管理装置に送信されるので、情報管理装置において統括的に管理されている撮影オーダ情報を容易に更新することができる。
【図面の簡単な説明】
【図１】本発明を適用した実施の形態の医用画像撮影システム１００の機能的構成を示す図である。
【図２】制御装置４０の機能的構成を示す図である。
【図３】撮影オーダ情報ファイル４６１のデータ構成を示す図である。
【図４】登録情報ファイル４６２のデータ構成を示す図である。
【図５】携帯端末６０の機能的構成を示す図である。
【図６】制御装置４０により実行されるオーダ送信処理を説明するフローチャートである。
【図７】オーダリスト画面４３１を示す図である。
【図８】ポータブル撮影用のオーダリスト画面４３４を示す図である。
【図９】携帯端末６０により実行されるカセッテ登録処理を説明するフローチャートである。
【図１０】（ａ）は患者リスト画面６３１であり、（ｂ）はオーダリスト画面６３２である。
【図１１】制御装置４０により実行される画像登録処理を説明するフローチャートである。
【図１２】画像確認画面４３５を示す図である。
【図１３】撮影条件の選択画面４３４を示す図である。
【図１４】患者情報の入力画面４３５を示す図である。
【図１５】オーダ管理モードと画像登録モードとの切り換えにより操作画面の表示モードが切り換えられる様子を示す図である。
【図１６】他の実施の形態における医用画像撮影システム２００のシステム構成を示す図である。
【図１７】従来の医用画像撮影システムのシステム構成を示す図である。
【符号の説明】
１００    医用画像撮影システム
１０    移動型撮影装置
２０    読取装置
３０    情報管理装置
４０    制御装置
４１    制御部
４４    通信部
４６    記憶部
４６１    撮影オーダ情報ファイル
４６２    登録情報ファイル
６０    携帯端末
６０ａ    通信端末
６１    制御部
６３    表示部
６４    通信部
６６    記憶部
６６１    撮影オーダ情報ファイル
６６２    カセッテ登録情報ファイル
２００    他の実施の形態の医用画像撮影システム
【図１】
2004298210.tif 000003
【図２】
2004298210.tif 000004
【図３】
2004298210.tif 000005
【図４】
2004298210.tif 000006
【図５】
2004298210.tif 000007
【図６】
2004298210.tif 000008
【図７】
2004298210.tif 000009
【図８】
2004298210.tif 000010
【図９】
2004298210.tif 000011
【図１０】
2004298210.tif 000012
【図１１】
2004298210.tif 000013
【図１２】
2004298210.tif 000014
【図１３】
2004298210.tif 000015
【図１４】
2004298210.tif 000016
【図１５】
2004298210.tif 000017
【図１６】
2004298210.tif 000018
【図１７】
2004298210.tif 000019